(57)【特許請求の範囲】
【請求項１】
内部に振動子が配設された歯科用超音波スケーラーの先端部に装着されるスケーラー用チップであって、
チタニウム又はチタニウム合金から形成されるチップ本体を有し、該チップ本体の先端部に人工歯根の周囲に沿って接触し得る湾曲した湾曲部が形成され、
湾曲部は、該人工歯根の外周に形成されたネジ溝内に入るための部分であるスケーラー用チップ。
【請求項２】
前記チップ本体の基端部は、前記歯科用超音波スケーラーの先端部に着脱可能に装着される請求項１に記載のスケーラー用チップ。
【請求項３】
前記湾曲部が、前記人工歯根の外周に沿った内面を有する請求項１に記載のスケーラー用チップ。
【請求項４】
前記湾曲部が、前記人工歯根の外径に相当する直径を持った内面を有する請求項１に記載のスケーラー用チップ。
【請求項５】
前記湾曲部の断面形状が略三角形又は略台形であり、湾曲部の側面に先端が尖った鋭角部が形成され、該鋭角部が人工歯根のネジ溝内に挿入し得る請求項１に記載のスケーラー用チップ。
【請求項６】
前記湾曲部が、人工歯根の外周面に沿った円弧状の内面を有し、該湾曲部が人工歯根の外周に形成されたネジ溝内に入るように形成されている請求項１に記載のスケーラー用チップ。
【請求項７】
前記湾曲部の曲率半径が1.0〜8.0ｍｍであり、該湾曲部の断面の外径が0.3〜0.8ｍｍである請求項１に記載のスケーラー用チップ。
【発明の詳細な説明】
【技術分野】
【０００１】
本発明は、歯科用の超音波スケーラー用チップに関する。
【背景技術】
【０００２】
歯石やプラーク（歯垢）は、歯周病やウ蝕の主因を成している。そのため、歯面や歯根面、人工修復補綴物や人工歯根材に付着したこれら歯石やプラークを除去することは、歯の病気の治療や予防をする上で重要である。このような歯科治療において、歯面の歯石の除去、ポケット内のデブライドメント、根面を滑沢にする歯根面の無毒化、すなわちスケーリングやルートプレーニングは重要な基本処置となっている。
【０００３】
スケーリング操作やルートプレーニング操作は、通常、手用の金属製スケーラー、特に手用キュレットスケーラーを用いて行われている。しかし、手用のキュレットスケーラーによるスケーリングやルートプレーニングは、熟練を要する操作であり、しかも手間のかかる操作である。
【０００４】
手用キュレットスケーラーを用いる方法の他に、エンジン用ロトソニック、タービン用エアスケーラー、超音波スケーラーなどの治療具を用いて、スケーリングやルートプレーニングを行うことがある。これらの治療具のうち、超音波スケーラーは、所定振動数の超音波を発振する超音波振動源に、所定の形状をした歯科用チップを接続して構成される。
【０００５】
この歯科用チップは、基端部から先端部までが一体化物となっている。歯科用チップの基端部が超音波振動源に接続される。超音波振動源を超音波域で振動させると、超音波振動はチップの基端部からチップの先端部にまで伝達される。そして、その先端部を歯表面の治療対象個所に押し当てることにより歯石などが研削除去される。
【０００６】
従来より、特開平８−２２９０５４号公報（特許文献１）、特開平１０−２８６９４号公報（特許文献２）、特開平５−１５４１６４号公報（特許文献３）には、種々の形状をしたチップが開示されている。
【０００７】
ところで、図１１および図１２に示すように、上顎部あるいは下顎部の骨２０にインプラントと呼ばれるピン状の人工歯根１２を埋め込み、骨２０から突出した人工歯根１２の端部に形成されているネジ穴にアバットメント１６をねじ込んで取り付け、そのアバットメント１６に人工歯冠１８を被せる方法が知られている。
【０００８】
従来のチップを用いて人工歯根の周囲に付着した歯石などを除去しようとすると、上記した従来のチップは主に天然歯の周囲に付着した歯石やプラークを除去するものであるため、効率よく除去できない。
【先行技術文献】
【特許文献】
【０００９】
【特許文献１】特開平８−２２９０５４号公報
【特許文献２】特開平１０−２８６９４号公報
【特許文献３】特開平５−１５４１６４号公報
【発明の概要】
【発明が解決しようとする課題】
【００１０】
本発明は上記従来技術を解消するためになされたものであって、その目的は、効率よく人工歯根の周囲に付着した歯石などを除去できる超音波スケーラー用チップを提供することにある。
【００１１】
本発明の他の目的は、チタニウム又はチタニウム合金以外の金属材料（例えば、鉄など）が人工歯根の周囲に付着して、人工歯根に対する組織の成長および付着が妨げられることのない超音波スケーラー用チップを提供することにある。
【課題を解決するための手段】
【００１２】
従って、本発明は以下を提供する。
【００１３】
本発明のスケーラー用チップは、内部に振動子が配設された歯科用超音波スケーラーの先端部に装着されるスケーラー用チップであって、チタニウム又はチタニウム合金から形成されるチップ本体を有し、該チップ本体の先端部に人工歯根の周囲に沿って接触し得る湾曲した湾曲部が形成されている。
【００１４】
好ましくは、本発明のスケーラー用チップにおいて、前記チップ本体の基端部は、前記歯科用超音波スケーラーの先端部に着脱可能に装着される。
【００１５】
さらに好ましくは、本発明のスケーラー用チップにおいて、前記湾曲部が、前記人工歯根の外周に沿った内面を有する。
【００１６】
さらに好ましくは、本発明のスケーラー用チップにおいて、前記湾曲部が、前記人工歯根の外径に相当する直径を持った内面を有する。
【００１７】
さらに好ましくは、本発明のスケーラー用チップにおいて、前記湾曲部の断面形状が略三角形又は略台形であり、湾曲部の側面に人工歯根のネジ溝内に挿入し得る先端部が形成されている。
【００１８】
さらに好ましくは、本発明のスケーラー用チップにおいて、前記湾曲部が、人工歯根の外周面に沿った円弧状の内面を有し、該湾曲部が人工歯根の外周に形成されたネジ溝内に入るように形成されている。
【００１９】
さらに好ましくは、本発明のスケーラー用チップにおいて、前記湾曲部の曲率半径が1.0〜8.0ｍｍであり、該湾曲部の断面の外径が0.3〜0.8ｍｍである。
【発明の効果】
【００２０】
本発明のスケーラー用チップによれば、チップ本体の先端部に人工歯根の周囲に沿って接触し得る湾曲した湾曲部が形成されているので、この湾曲部が超音波振動しながら人工歯根の周囲に接触し、特に人工歯根の周囲に形成されたネジ溝に湾曲部が入り込んで振動するので、人工歯根の周囲に付着した歯石などを効率よく除去することができる。
【００２１】
また、このチップは、チタニウム又はチタニウム合金から形成されるので、超音波振動によってチップが人工歯根の周囲に接触する場合に、チタニウム又はチタニウム合金が人工歯根の周囲に付着した場合でも、人工歯根に対する組織の成長および付着が妨げられることがない。
【００２２】
特に、チップをチタニウム合金で形成することにより、チップの形状を人工歯根の周囲に適合するように容易に加工することができる。
【図面の簡単な説明】
【００２３】
【図１】図１は、本発明に係る超音波スケーラー用チップを歯科用超音波スケーラーに装着した使用状態の概略図。
【図２】図２は、本発明に係る超音波スケーラー用チップの要部の拡大図。
【図３】図３は、本発明に係る超音波スケーラー用チップの概略正面図。
【図４】図４は、本発明に係る超音波スケーラー用チップの湾曲部を人工歯根の外周に沿わせた状態の断面図であって、図４（ａ)は湾曲部をほぼ半円形状の面を有する形状としたもの、図４（ｂ）は、湾曲部を円弧状の面を有する形状としたものである。
【図５】図５は、本発明に係る超音波スケーラー用チップの種々の形態を示す概略図。
【図６】図６は、本発明に係る超音波スケーラー用チップの種々の形態を示す断面図。
【図７】図７（a）は本発明に係る超音波スケーラー用チップの一実施形態の斜視図、図７（b）はその正面図、図７（c）はその平面図、図７（d）はその側面図。
【図８】図８（a）は本発明に係る超音波スケーラー用チップの他の実施形態の斜視図、図８（b）はその正面図、図８（c）はその平面図、図８（d）はその側面図。
【図９】図９（a）は本発明に係る超音波スケーラー用チップのさらに他の実施形態の斜視図、図９（b）はその正面図、図９（c）はその平面図、図９（d）はその側面図。
【図１０】図１０（a）は本発明に係る超音波スケーラー用チップのさらに他の実施形態の斜視図、図１０（b）はその正面図、図１０（c）はその平面図、図１０（d）はその側面図。
【図１１】図１１は、従来の人工歯根にアバットメントを取り付け、補綴冠を被せた状態の分解斜視図。
【図１２】図１２は、従来の人工歯根を歯槽骨に固定し、人工歯根の先端にアバットメントを取り付け、補綴冠を被せた状態の断面図。
【発明を実施するための形態】
【００２４】
以下に本発明の実施の形態について説明する。
【００２５】
図１〜図４に示すように、本発明の歯科用スケーラー用チップ２は、ハンドピースのような歯科用超音波スケーラー４に装着されるものである。歯科用超音波スケーラー４の内部にはモータおよび振動子（図示せず）がそれぞれ配設され、スケーラー用チップ２の先端部に振動が伝達される。
【００２６】
スケーラー用チップ２は、チタニウム又はチタニウム合金から形成されるチップ本体１０を有し、該チップ本体１０は、比較的外径が大きい基端部６と先端部８とを備えた一体物として形成されている。スケーラー用チップ２は、全体として、基端部６から先端部８に向かって先細りする形状になっている。スケーラー用チップ２は、そのチップ本体１０の先端部８に人工歯根１２の周囲に沿って接触し得る湾曲した棒状の湾曲部１４が形成されている。
【００２７】
該湾曲部１４としては、図４(a)に示すように、人工歯根１２の外径に相当する直径を持った略半円形状の内面１５を有するように形成してもよい。または、図４(b)に示すように、人工歯根１２の外周面に沿った円弧状の内面１５を有するように形成してもよい。すなわち、湾曲部１４の内径およびその内面１５の形状は、人工歯根１２の外周に形成されたネジ溝１３に沿い、かつ該ネジ溝１３内に湾曲部１４が入るように形成されている（図１および図２）。
【００２８】
例えば、図４(a)および（ｂ）に示す湾曲部１４の内径は、1.0〜8.0ｍｍが好ましい。さらに好ましくは2.0〜6.0ｍｍである。湾曲部１４の曲率半径は、1.0〜8.0ｍｍが好ましく、さらに好ましくは0.5〜4.0ｍｍ、最も好ましくは1.0〜3.0ｍｍである。
【００２９】
該湾曲部１４の断面の外径は、人工歯根１２のネジ溝１３に湾曲部１４が入るように設定されている。通常は0.3〜0.8ｍｍ（好ましくは0.5〜0.8ｍｍ）である。人工歯根１２のネジ溝１３のピッチは、一番ピッチの細かいもので、0.6ｍｍ前後であるので、このネジ溝１３に湾曲部１４が入るように構成される。
【００３０】
湾曲部１４の断面の形状は、図６(a)、図６(b)に示すように、略三角形、または略台形とすることができる。湾曲部１４の側部に形成される先端部１４ａ、１４ｂがネジ溝１３に容易に入るように、該先端部１４ａ、１４ｂは鋭角とするのが好ましい。なお、チップ本体１０は、図１および図２に示すように、やや屈曲または湾曲させても良い。
【００３１】
スケーラー用チップ２は、チタニウム又はチタニウム合金から形成された部材を曲げ加工して形成してもよく、あるいは金型などを用いて成型してもよい。
【００３２】
図１および図２に示すように、通常は、金属にて形成されるチップ本体１０の先端部８を湾曲加工してチップ２が作製される。チップ本体１０の基端部６は先端部８よりも大径に形成され、この基端部６は歯科用超音波スケーラー４の端部に着脱可能に取り付けられる。通常は、チップ本体１０の基端部６には雌ネジ穴（又は雄ネジ）等が形成され、スケーラー４の先端部に形成された雄ネジ（又は雌ネジ穴）が該穴（又はネジ）に螺合される。
【００３３】
チップの形状は種々の変更が可能である。人工歯根１２のサイズに応じて種々のサイズのチップを準備してもよい。
【００３４】
例えば、図５(a)に示すように、湾曲部１４のほぼ中央部からチップ本体１０を延出してチップ２を形成してもよい。図５(b)に示すように、湾曲部１４の片側の端部付近からチップ本体１０を延出してチップ２を形成してもよい。
【００３５】
本発明のスケーラー用チップ２の使用に際しては、図１に示したように、チップ２はスケーラー４の先端部に装着される。湾曲部１４が人工歯根１２の外周に沿うようにチップ２を差し込み、スケーラー４の操作スイッチを入れるとスケーラー４内部に配設されている超音波振動子が駆動される。この駆動によりチップ２の湾曲部１４が振動し、人工歯根１２の周囲の歯石などを除去することができる。チップ本体１０の先端部８の形状が湾曲しているので、広い面積で効率よく人工歯根１２の周囲の清掃を行うことができる。
【００３６】
また、このチップはチタニウム又はチタニウム合金から形成されるので、従来のステンレス製のチップのように、鉄成分が人工歯根の周囲に付着して人工歯根に対する組織の成長および付着が妨げられることがない。
【００３７】
なお、人工歯根１２の外径、形状等に合わせて、適切な大きさのチップ２が選択される。さらに、サイズや形状の異なる複数種類のチップを準備しておくことにより、患者の人工歯根の大きさなどに合わせて選択することで、人工歯根の状態に合わせた有効な除去を行うことができる。
【００３８】
図７〜図１０は、各種のチップを示したものである。
【００３９】
図７と図８に示すチップは、左右対称の関係にある。図７および図８に示すチップは、チタニウム又はチタニウム合金から形成されるチップ本体１０を有し、該チップ本体１０の基端部６は、２．５〜３．５ｍｍ（好ましくは２．８〜３．２ｍｍ）の外径、５〜１２ｍｍの長さを有している。該基端部６から本体の中間部１１が７〜１２ｍｍ（好ましくは９〜１０ｍｍ）側方へ湾曲し、本体１０の先端部８は、さらに中間部１１の先端から３〜５ｍｍ（好ましくは３．５〜４．５ｍｍ）程度、該中間部１１の湾曲方向と略８０°から１００°交差する方向へ湾曲している。該湾曲部１４の曲率半径は２．０〜６．０ｍｍ（好ましくは３．０〜５．０ｍｍ）である。本体１０の内部には冷却水を通す通路２１が形成され、本体１０の側部には溝１９が形成されている。
【００４０】
図８において、Ｌ１〜Ｌ８の好ましい範囲は次のとおりである。
Ｌ１：３３〜４０ｍｍ（さらに好ましくは３６〜３９ｍｍ）
Ｌ２：２８〜３６ｍｍ（さらに好ましくは３０〜３４ｍｍ）
Ｌ３：４〜８ｍｍ（さらに好ましくは５〜６ｍｍ）
Ｌ４：１０〜１４ｍｍ（さらに好ましくは１１〜１３ｍｍ）
Ｌ５：８〜１４ｍｍ（さらに好ましくは１０〜１２ｍｍ）
Ｌ６：５〜９ｍｍ（さらに好ましくは６〜８ｍｍ）
Ｌ７：３〜６ｍｍ（さらに好ましくは４〜５ｍｍ）
Ｌ８：２〜６ｍｍ（さらに好ましくは３〜５ｍｍ）
図９と図１０に示すチップは、左右対称の関係にある。図９および図１０に示すチップは、チタニウム又はチタニウム合金から形成されるチップ本体１０を有し、該チップ本体１０の基端部６は、２．５〜３．５ｍｍ（好ましくは２．８〜３．２ｍｍ）の外径、５〜１２ｍｍの長さを有している。該基端部６から本体の中間部１１が７〜１２ｍｍ（好ましくは９〜１０ｍｍ）側方へ湾曲し、本体１０の先端部８は、さらに中間部１１の先端から３〜５ｍｍ（好ましくは３．５〜４．５ｍｍ）程度、該中間部１１の湾曲方向と略８０°から１００°交差する方向へ湾曲している。該湾曲部１４の曲率半径は２．０〜６．０ｍｍ（好ましくは３．０〜５．０ｍｍ）である。本体１０の内部には冷却水を通す通路２１が形成され、本体１０の側部には溝１９が形成されている。
【００４１】
図１０において、Ｌ１〜Ｌ８の好ましい範囲は次のとおりである。
Ｌ１：２８〜３６ｍｍ（さらに好ましくは３１〜３４ｍｍ）
Ｌ２：２２〜２８ｍｍ（さらに好ましくは２３〜２６ｍｍ）
Ｌ３：６〜１０ｍｍ（さらに好ましくは７〜９ｍｍ）
Ｌ４：１１〜１５ｍｍ（さらに好ましくは１２〜１４ｍｍ）
Ｌ５：１０〜１４ｍｍ（さらに好ましくは１１〜１３ｍｍ）
Ｌ６：３〜７ｍｍ（さらに好ましくは４〜６ｍｍ）
Ｌ７：２〜５ｍｍ（さらに好ましくは３〜４ｍｍ）
Ｌ８：２〜５ｍｍ（さらに好ましくは３〜４ｍｍ）
なお、湾曲部１４はいずれの実施形態のチップにおいても、先端部ほど次第に外径が小さくなっており、湾曲部１４の基部の外径は0.5〜0.8ｍｍが好ましく、湾曲部１４の先端の外径は0.2〜0.5ｍｍが好ましい。
【産業上の利用可能性】
【００４２】
人工歯根材に付着した歯石やプラークを除去することにより、歯の病気の治療や予防を行うことができる。
【符号の説明】
【００４３】
２    超音波スケーラー用チップ
４    スケーラー
６    基端部
８    先端部
１０  チップ本体
１４  湾曲部
【図１】
0005502203.tif 000002
【図２】
0005502203.tif 000003
【図３】
0005502203.tif 000004
【図４（ａ）】
0005502203.tif 000005
【図４（ｂ）】
0005502203.tif 000006
【図５（ａ）】
0005502203.tif 000007
【図５（ｂ）】
0005502203.tif 000008
【図６（ａ）】
0005502203.tif 000009
【図６（ｂ）】
0005502203.tif 000010
【図７（ａ）】
0005502203.tif 000011
【図７（ｂ）】
0005502203.tif 000012
【図７（ｃ）】
0005502203.tif 000013
【図７（ｄ）】
0005502203.tif 000014
【図８（ａ）】
0005502203.tif 000015
【図８（ｂ）】
0005502203.tif 000016
【図８（ｃ）】
0005502203.tif 000017
【図８（ｄ）】
0005502203.tif 000018
【図９（ａ）】
0005502203.tif 000019
【図９（ｂ）】
0005502203.tif 000020
【図９（ｃ）】
0005502203.tif 000021
【図９（ｄ）】
0005502203.tif 000022
【図１０（ａ）】
0005502203.tif 000023
【図１０（ｂ）】
0005502203.tif 000024
【図１０（ｃ）】
0005502203.tif 000025
【図１０（ｄ）】
0005502203.tif 000026
【図１１】
0005502203.tif 000027
【図１２】
0005502203.tif 000028